(57)【要約】【課題】手軽にテレビジョン放送を録画でき、しかもユーザーにとって操作性のよい映像表示装置を提供することを目的とする。【解決手段】表示装置１に画像表示を行うための信号を出力する映像信号処理手段３と、この映像信号処理手段３の映像および音声のデータを一時記憶するための半導体メモリ４と、この半導体メモリから読み出されたデータにファイル情報を付加して記録するとともに記録したデータを任意に読み出し可能でかつ装置に対して着脱自在の半導体メモリカード２と、この半導体メモリカード２への記録および読み出し動作を制御するための制御手段６とを有し、前記制御手段６は、半導体メモリカード２に記録可能な残りの時間を求めるとともに操作者の操作行為に基づくデータの記録予定時間と比較し、記録予定時間が記録可能な残りの時間を超過する場合に、操作者に注意を促す表示を行うように構成した。【選択図】図２
2005333194.tif 000002
【特許請求の範囲】
【請求項１】
映像および音声のデータを有する映像信号が入力されるとともに表示装置に画像表示を行うための信号を出力する映像信号処理手段と、この映像信号処理手段の映像および音声のデータを一時記憶するための記憶手段と、この記憶手段から読み出されたデータにファイル情報を付加して記録するとともに記録したデータを任意に読み出し可能でかつ装置に対して着脱自在の記憶媒体と、この記憶媒体への記録および読み出し動作を制御するための制御手段とを有し、前記制御手段は、前記記憶媒体に記録可能な残りの時間を求めるとともに操作者の操作行為に基づくデータの記録予定時間と比較し、記録予定時間が記録可能な残りの時間を超過する場合に、操作者に注意を促す表示を行うように構成した映像表示装置。
【請求項２】
映像信号処理手段は、映像信号の圧縮および伸張を行うエンコーダ／デコーダ機能を有し、圧縮したデータを記憶媒体に記録するように構成した請求項１に記載の映像表示装置。
【請求項３】
記憶媒体に記録可能な時間および注意を促すメッセージを表示装置にオンスクリーン表示するための表示制御手段を設けた請求項１に記載の映像表示装置。
【発明の詳細な説明】
【技術分野】
【０００１】
本発明は着脱自在の半導体メモリ等の記憶媒体に映像信号の映像および音声データを記録再生可能な映像表示装置に関する。
【背景技術】
【０００２】
従来、テレビジョン受信機などにおいて、ビデオテープレコーダーを一体に内蔵することにより、テレビ番組を見て楽しみながら、録画できるようにした機器が一般に発売されている。一方最近では、具体的な先行技術文献はないが、デジタル技術の進歩により、ビデオカメラなどにおいて、半導体メモリカードを記録媒体とする機器なども発売されている。
【発明の開示】
【発明が解決しようとする課題】
【０００３】
本発明はこのような状況に鑑みなされたもので、手軽にテレビジョン放送を録画でき、しかもユーザーにとって操作性のよい映像表示装置を提供することを目的とするものである。
【課題を解決するための手段】
【０００４】
この課題を解決するために本発明は、映像および音声のデータを有する映像信号が入力されるとともに表示装置に画像表示を行うための信号を出力する映像信号処理手段と、この映像信号処理手段の映像および音声のデータを一時記憶するための記憶手段と、この記憶手段から読み出されたデータにファイル情報を付加して記録するとともに記録したデータを任意に読み出し可能でかつ装置に対して着脱自在の記憶媒体と、この記憶媒体への記録および読み出し動作を制御するための制御手段とを有し、前記制御手段は、前記記憶媒体に記録可能な残りの時間を求めるとともに操作者の操作行為に基づくデータの記録予定時間と比較し、記録予定時間が記録可能な残りの時間を超過する場合に、操作者に注意を促す表示を行うように構成したものである。
【０００５】
また、映像信号処理手段は、映像信号の圧縮および伸張を行うエンコーダ／デコーダ機能を有し、圧縮したデータを記憶媒体に記録するように構成したものである。さらに、記憶媒体に記録可能な時間および注意を促すメッセージを表示装置にオンスクリーン表示するための表示制御手段を設けたものである。
【発明の効果】
【０００６】
以上のように本発明によれば、手軽にテレビジョン放送を録画でき、しかも録画可能時間を簡単にユーザーに知らせることができるため、録画したい番組を適切に記録できるとともに、すでに記録した内容に上書きして大事な記録内容を失うこともない操作性のよい映像表示装置を提供することができる。
【発明を実施するための最良の形態】
【０００７】
以下、本発明の一実施の形態による映像表示装置ついて、図１〜図８の図面を用いて説明する。
【０００８】
図１は本発明の一実施の形態による映像表示装置の外観を示す図であり、図２はその映像表示装置における主要部の構成を示すブロック図である。
【０００９】
まず、図１において、１は表示装置で、この表示装置１の筐体の前面パネル部分には、表示装置に対して着脱自在の記録媒体としての半導体メモリカード２が装着される装着口１ａが設けられている。そして、この表示装置１内部には、図２に示すような記録再生手段が内蔵されている。
【００１０】
図２において、３は映像信号処理手段で、映像および音声のデータを有する映像信号が入力されるとともに、表示装置１に画像表示を行うための信号を出力するもので、ＭＰＥＧ４規格などに基づいて信号の圧縮および伸張を行うエンコーダ／デコーダ機能を有している。
【００１１】
４はこの映像信号処理手段３において信号圧縮された映像および音声データを一時記憶するための記憶手段としての半導体メモリ、５は半導体メモリカードコントローラで、前記半導体メモリ４から読み出されたデータにファイル情報を付加して半導体メモリカード２に記録するとともに、この半導体メモリカード２に記録されたデータを任意に読み出すための制御を行うものであり、これらの半導体メモリ４および半導体メモリカードコントローラ５は、制御手段６により動作が制御される。
【００１２】
７は半導体メモリカード２への記録を操作するためのリモートコントロール装置などによる操作手段、８は制御手段６からの情報に基づき表示装置１にオンスクリーン表示を行うための表示制御手段で、操作者に記録の状況などを知らせるオンスクリーン表示を行うためのものである。図３、図４にオンスクリーン表示の一例を示しており、操作手段７において、操作者が半導体メモリカードへの記録という操作ボタンを操作した際には、図３に示すような操作メニューのオンスクリーン表示を行い、その操作メニューの中から、例えば「ＳＤ残量確認」というメニューを選択した場合には、図４に示すようなオンスクリーン表示が行われる。
【００１３】
次に、図２に示すブロックの動作を説明すると、映像表示装置において、映像および音声データを記録する場合、操作手段７の記録操作ボタンを押すことで、映像信号処理手段３から得られる映像および音声データを、一旦半導体メモリ４の所定のエリアに蓄え、所定のブロックサイズ毎に、半導体メモリカードコントローラ５を介して半導体メモリカード２に順次記録される。具体的には、記録開始時、ファイルネーム（例えば、ｆｉｌｅ１．ｍｐｇ）が記録日時と重要度レベル（通常）の情報とともに自動作成され、記録するデータの先頭番地が記録され、映像および音声データが記録される。別のデータを新たに記録開始すると、新たな所定のファイルネーム（例えば、ｆｉｌｅ２．ｍｐｇ）が自動生成され、新たに記録するデータの先頭番地が記録され、映像および音声データが新たに記録される。ＦＥＴ（ファイル・エントリー・テーブル）の仕様例を図５に、ＦＡＴ（ファイル・アロケーション・テーブル）の仕様例を図６に示している。
【００１４】
次に、半導体メモリカード２の記録データを再生する時は、前記ファイルネームのいずれかを操作手段７の選択ボタンで選択し、再生ボタンを押すことで、選択されたコンテンツの先頭番地から所定のデータを読み出し、半導体メモリカードコントローラ５を介して半導体メモリ４の所定のエリアにデータが仮置きされ、そのデータを制御手段６により映像信号処理手段３に転送することにより、映像／音声データが再生されることとなる。
【００１５】
ここで、上述したように、操作手段７を操作して、操作メニューのオンスクリーン表示を行い、その操作メニューの中から、「ＳＤ残量確認」というメニューを選択した場合には、制御手段６は、半導体メモリカード２の記録可能な残りの容量およびその容量から記録可能な時間を算出し、表示制御手段８により、図４に示すようなオンスクリーン表示が行われる。
【００１６】
また、予約記録設定、時間設定記録等を行う場合には、制御手段６は、図７に示すフローに従って、制御を行う。すなわち、制御手段６は、操作手段７に入力された記録開始と終了時刻の情報、あるいは記録予定時間の情報から、半導体メモリカード２の記録残容量から記録可能な残時間を算出し、前記記録予定時間と前記記録残時間とを比較する。記録予定時間Ｔ＞記録残時間ｔの時は、図８（ａ）に示すようなオンスクリーン表示を行って操作者に残容量が不足していることの注意を促し、操作者は、記録予定時間を短くするなどして、再度、設定、実行することで、記録誤りを未然に防止することができる。なお、予約記録設定、時間設定記録等を行わない場合は、図８（ｂ）に示すようなオンスクリーン表示が行われる。
【００１７】
すなわち、本発明においては、制御手段６が半導体メモリカード２に記録可能な残りの時間を求めるとともに、操作者の操作行為に基づくデータの記録予定時間と比較し、記録予定時間が記録可能な残りの時間を超過する場合に、操作者に注意を促すメッセージを出す制御を行うように構成しており、半導体メモリカード２という扱いやすい記録媒体にテレビジョン放送を録画でき、しかも録画可能時間を簡単にユーザーに知らせることができるため、録画したい番組を適切に記録できるとともに、すでに記録した内容に上書きして大事な記録内容を失うこともない操作性のよい映像表示装置を提供することができる。
【００１８】
なお、記録できるところまでの記録でよければ、”実行”ボタンなどで選択設定できるようにすれば、データを全て記録できないことを了解した上で、設定された記録操作を実行できるように構成してもよい。また、繰り返し記録モードなどの機能を付加し、記録中、記録残時間がなくなってきた時は、既に記録されているデータの中で、最も古いものの先頭から、所定のブロックサイズ毎に、新たに記録するデータに書き換えるような機能を付加しておいてもよい。
【産業上の利用可能性】
【００１９】
以上のように本発明によれば、記録残時間不足による記録誤りを未然に防止し、記録予定時間情報を入手される時は、記録残時間と記録予定時間を比較し、記録予定時間＞記録残時間である時は、ユーザーに不足していることをわかりやすく伝え、記録誤りを確実に防止する。更に、繰り返しモードで使用する場合、ユーザーは、既に記録したコンテンツの削除を必要とせず、記録残時間がなくなってきた時、存在意義の薄いものを少しずつ新たなコンテンツ記録に自動的に回し、確実に新たなコンテンツを記録するという有利な効果が得られる。
【００２０】
以上のように本発明によれば、録画したい番組を適切に記録できるとともに、すでに記録した内容に上書きして大事な記録内容を失うこともなく、手軽にテレビジョン放送を録画可能な映像表示装置を提供することができる。
【図面の簡単な説明】
【００２１】
【図１】本発明の一実施の形態による映像表示装置の外観図
【図２】同映像表示装置の主要部の構成を示すブロック図
【図３】同装置のオンスクリーン表示の一例を示す説明図
【図４】同装置の別のオンスクリーン表示の一例を示す説明図
【図５】ＦＥＴ（ファイル・エントリー・テーブル）の仕様例を示す説明図
【図６】ＦＡＴ（ファイル・アロケーション・テーブル）の仕様例を示す説明図
【図７】同装置において、予約記録設定、時間設定記録等を行う場合のフローチャート
【図８】同装置のオンスクリーン表示の他の例を示す説明図
【符号の説明】
【００２２】
１  表示装置
２  半導体メモリカード
３  映像信号処理手段
４  半導体メモリ
５  半導体メモリカードコントローラ
６  制御手段
７  操作手段
８  表示制御手段
【図１】
2005333194.tif 000003
【図２】
2005333194.tif 000004
【図３】
2005333194.tif 000005
【図４】
2005333194.tif 000006
【図５】
2005333194.tif 000007
【図６】
2005333194.tif 000008
【図７】
2005333194.tif 000009
【図８】
2005333194.tif 000010